(57)【要約】  本発明は、端末機器の充電制御方法及び装置、プログラム及び記録媒体に関する。前記方法は、端末機器のバッテリへの充電を行う際に、現在前記バッテリへの充電を行っている第１充電チップから前記バッテリへの充電を待っている第２充電チップに切替える必要があるか否かを決定するステップと、前記第１充電チップから前記第２充電チップに切替える必要があると決定した場合、前記第１充電チップを制御して前記バッテリへの充電を停止し、前記第２充電チップを起動して前記バッテリへの充電を行うステップとを含む。本発明の技術案によれば、第１充電チップがまだ多くの熱を発生してないうちに、第１充電チップから第２充電チップに切替えてバッテリへの充電を行うことができ、第１充電チップの充電時間が長すぎて高い熱を発生することが回避でき、また、第２充電チップが引き続きバッテリへの充電を行うため、第２充電チップの充電電流を低下させる必要がなく、充電チップの充電效率を向上させる。【選択図】図１
2017506874.tif 000002
【特許請求の範囲】
【請求項１】
端末機器のバッテリへの充電を行う際に、現在前記バッテリへの充電を行っている第１充電チップから前記バッテリへの充電を待っている第２充電チップに切替える必要があるか否かを決定するステップと、
前記第１充電チップから前記第２充電チップに切替える必要があると決定した場合、前記第１充電チップを制御して前記バッテリへの充電を停止し、前記第２充電チップを起動して前記バッテリへの充電を行うステップと
を含むことを特徴とする端末機器の充電制御方法。
【請求項２】
現在前記バッテリへの充電を行っている第１充電チップから前記バッテリへの充電を待っている第２充電チップに切替える必要があるか否かを決定するステップは、
前記第１充電チップが現在前記バッテリへの充電を行っている第１充電持続時間を決定するステップと、
前記第１充電持続時間が事前に設定した持続期間に達したとき、前記第１充電チップから前記バッテリへの充電を待っている第２充電チップに切替える必要があると決定するステップと
を含むことを特徴とする請求項１に記載の端末機器の充電制御方法。
【請求項３】
前記第１充電持続時間が前記事前に設定した持続期間に達しなかったと決定した場合、前記第１充電チップの温度を決定するステップと、
前記第１充電チップの温度が事前に設定した温度値に達した場合、前記第１充電チップから前記第２充電チップに切替える必要があると決定し、前記第１充電チップを制御して前記バッテリへの充電を停止し、前記第２充電チップを起動して前記バッテリへの充電を行うステップを実行するステップと
をさらに含むことを特徴とする請求項２に記載の端末機器の充電制御方法。
【請求項４】
現在前記バッテリへの充電を行っている第１充電チップから前記バッテリへの充電を待っている第２充電チップに切替える必要があるか否かを決定するステップは、
現在前記バッテリへの充電を行っている第１充電チップの温度を決定するステップと、
前記第１充電チップの温度が事前に設定した温度値より高くなった場合、現在前記バッテリへの充電を行っている第１充電チップから前記バッテリへの充電を待っている第２充電チップに切替える必要があると決定するステップと
を含むことを特徴とする請求項１に記載の端末機器の充電制御方法。
【請求項５】
前記バッテリへの充電を待っている少なくとも１つの充電チップの現在温度を決定して、少なくとも１つの現在温度を取得するステップと、
前記少なくとも１つの現在温度から１つの最低温度を決定し、前記最低温度が前記事前に設定した温度値より低い場合、前記最低温度に対応する充電チップを前記第２充電チップとするステップと
をさらに含むことを特徴とする請求項４に記載の端末機器の充電制御方法。
【請求項６】
前記最低温度が前記事前に設定した温度値より高い場合、前記第１充電チップから前記バッテリへの充電電流を低下させるステップをさらに含むことを特徴とする請求項５に記載の端末機器の充電制御方法。
【請求項７】
端末機器のバッテリへの充電を行う際に、現在前記バッテリへの充電を行っている第１充電チップから前記バッテリへの充電を待っている第２充電チップに切替える必要があるか否かを決定するように構成される第１決定モジュールと、
前記第１決定モジュールが、前記第１充電チップから前記第２充電チップに切替える必要があると決定した場合、前記第１充電チップを制御して前記バッテリへの充電を停止し、前記第２充電チップを起動して前記バッテリへの充電を行うように構成される制御モジュールと
を含むことを特徴とする端末機器の充電制御装置。
【請求項８】
前記第１決定モジュールは、
前記第１充電チップが現在前記バッテリへの充電を行っている第１充電持続時間を決定するように構成される第１決定サブモジュールと、
前記第１決定サブモジュールが、前記第１充電持続時間が事前に設定した持続期間に達したと決定した場合、前記第１充電チップから前記バッテリへの充電を待っている第２充電チップに切替える必要があると決定するように構成される第２決定サブモジュールと
を含むことを特徴とする請求項７に記載の端末機器の充電制御装置。
【請求項９】
前記第１決定モジュールが、前記第１充電持続時間が前記事前に設定した持続期間に達しなかったと決定した場合、前記第１充電チップの温度を決定するように構成される第２決定モジュールと、
前記第２決定サブモジュールが、前記第１充電チップの温度が事前に設定した温度値に達したと決定し、前記第１充電チップから前記第２充電チップに切替える必要があると決定した場合、前記制御モジュールが、前記第１充電チップを制御して前記バッテリへの充電を停止し、前記第２充電チップを起動して前記バッテリへの充電を行うステップを実行するように構成される第３決定モジュールと
をさらに含むことを特徴とする請求項８に記載の端末機器の充電制御装置。
【請求項１０】
前記第１決定モジュールは、
現在前記バッテリへの充電を行っている第１充電チップの温度を決定するように構成される第３決定サブモジュールと、
前記第３決定サブモジュールが、前記第１充電チップの温度が事前に設定した温度値より高いと決定した場合、現在前記バッテリへの充電を行っている第１充電チップから前記バッテリへの充電を待っている第２充電チップに切替える必要があると決定するように構成される第４決定サブモジュールと
を含むことを特徴とする請求項７に記載の端末機器の充電制御装置。
【請求項１１】
前記バッテリへの充電を待っている少なくとも１つの充電チップの現在温度を決定して、少なくとも１つの現在温度を取得するように構成される第４決定モジュールと、
前記第４決定モジュールにより決定された前記少なくとも１つの現在温度から１つの最低温度を決定し、前記最低温度が前記事前に設定した温度値より低い場合、前記最低温度に対応する充電チップを前記第２充電チップとするように構成される第５決定モジュールと
をさらに含むことを特徴とする請求項１０に記載の端末機器の充電制御装置。
【請求項１２】
前記最低温度が前記事前に設定した温度値より高い場合、前記制御モジュールが、前記第１充電チップから前記バッテリへの充電電流を低下させるように構成されることを特徴とする請求項１１に記載の端末機器の充電制御装置。
【請求項１３】
プロセッサと、
前記プロセッサにより実行可能なインストラクションを格納するためのメモリと
を備え、
前記プロセッサは、
端末機器のバッテリへの充電を行う際に、現在前記バッテリへの充電を行っている第１充電チップから前記バッテリへの充電を待っている第２充電チップに切替える必要があるか否かを決定し、
前記第１充電チップから前記第２充電チップに切替える必要があると決定した場合、前記第１充電チップを制御して前記バッテリへの充電を停止し、前記第２充電チップを起動して前記バッテリへの充電を行う
ように構成されることを特徴とする端末機器の充電制御装置。
【発明の詳細な説明】
【技術分野】
【０００１】
本発明は、通信技術分野に関し、特に端末機器の充電制御方法及び装置に関する。
【背景技術】
【０００２】
モバイル機器が日増しに普及していることに伴い、ユーザはモバイル端末の充電に当たって、充電時間をできる限り短くすることが期待されており、モバイル機器の充電時間を短くすることによって、ユーザの感受を向上させることができる。従来技術では、充電チップを利用してモバイル機器を充電し、充電過程において充電チップがずっと充電状態にあるため、充電過程に亘ってずっと熱を発生し続ける。モバイル機器を速いスピードで満充電する必要がある場合、充電チップの充電電流を増加しなければならないが、充電電流を増加すると、充電チップが高い熱を放出してしまい、ユーザの感受を悪化させる。充電チップの発熱を減少させるためには、充電チップの充電電流を低下させる必要があるが、この場合、充電チップの充電時間が長くなり、充電効率が低下して、ユーザの感受をさらに悪化させてしまう。
【発明の概要】
【課題を解決するための手段】
【０００３】
従来技術に存在する問題点を解決するために、本発明の実施例は、端末機器を充電する際に大量の熱が発生することを避けると共に、端末機器の充電效率を向上させるための端末機器の充電を制御する方法及び装置を提供する。
【０００４】
本発明の第１の態様によれば、
端末機器のバッテリへの充電を行う際に、現在前記バッテリへの充電を行っている第１充電チップから前記バッテリへの充電を待っている第２充電チップに切替える必要があるか否かを決定するステップと、
前記第１充電チップから前記第２充電チップに切替える必要があると決定した場合、前記第１充電チップを制御して前記バッテリへの充電を停止し、前記第２充電チップを起動して前記バッテリへの充電を行うステップと
を含む端末機器の充電制御方法を提供する。
【０００５】
一実施例において、現在前記バッテリへの充電を行っている第１充電チップから前記バッテリへの充電を待っている第２充電チップに切替える必要があるか否かを決定するステップは、
前記第１充電チップが現在前記バッテリへの充電を行っている第１充電持続時間を決定するステップと、
前記第１充電持続時間が事前に設定した持続期間に達したとき、前記第１充電チップから前記バッテリへの充電を待っている第２充電チップに切替える必要があると決定するステップと
を含んでもよい。
【０００６】
一実施例において、前記方法は、
前記第１充電持続時間が前記事前に設定した持続期間に達しなかったと決定した場合、前記第１充電チップの温度を決定するステップと、
前記第１充電チップの温度が事前に設定した温度値に達した場合、前記第１充電チップから前記第２充電チップに切替える必要があると決定し、前記第１充電チップを制御して前記バッテリへの充電を停止し、前記第２充電チップを起動して前記バッテリへの充電を行うステップを実行するステップと
をさらに含んでもよい。
【０００７】
一実施例において、現在前記バッテリへの充電を行っている第１充電チップから前記バッテリへの充電を待っている第２充電チップに切替える必要があるか否かを決定するステップは、
現在前記バッテリへの充電を行っている第１充電チップの温度を決定するステップと、
前記第１充電チップの温度が事前に設定した温度値より高くなった場合、現在前記バッテリへの充電を行っている第１充電チップから前記バッテリへの充電を待っている第２充電チップに切替える必要があると決定するステップと
を含んでもよい。
【０００８】
一実施例において、前記方法は、
前記バッテリへの充電を待っている少なくとも１つの充電チップの現在温度を決定して、少なくとも１つの現在温度を取得するステップと、
前記少なくとも１つの現在温度から１つの最低温度を決定し、前記最低温度が前記事前に設定した温度値より低い場合、前記最低温度に対応する充電チップを前記第２充電チップとするステップと
をさらに含んでもよい。
【０００９】
一実施例において、前記方法は、
前記最低温度が前記事前に設定した温度値より高い場合、前記第１充電チップから前記バッテリへの充電電流を低下させるステップをさらに含んでもよい。
【００１０】
本発明の第２の態様によれば、
端末機器のバッテリへの充電を行う際に、現在前記バッテリへの充電を行っている第１充電チップから前記バッテリへの充電を待っている第２充電チップに切替える必要があるか否かを決定するように構成される第１決定モジュールと、
前記第１決定モジュールが、前記第１充電チップから前記第２充電チップに切替える必要があると決定した場合、前記第１充電チップを制御して前記バッテリへの充電を停止し、前記第２充電チップを起動して前記バッテリへの充電を行うように構成される制御モジュールと
を含む端末機器の充電制御装置を提供する。
【００１１】
一実施例において、前記第１決定モジュールは、
前記第１充電チップが現在前記バッテリへの充電を行っている第１充電持続時間を決定するように構成される第１決定サブモジュールと、
前記第１決定サブモジュールが、前記第１充電持続時間が事前に設定した持続期間に達したと決定した場合、前記第１充電チップから前記バッテリへの充電を待っている第２充電チップに切替える必要があると決定するように構成される第２決定サブモジュールと
を含む。
【００１２】
一実施例において、前記装置は、
前記第１決定モジュールが、前記第１充電持続時間が前記事前に設定した持続期間に達しなかったと決定した場合、前記第１充電チップの温度を決定するように構成される第２決定モジュールと、
前記第２決定サブモジュールが、前記第１充電チップの温度が事前に設定した温度値に達したと決定し、前記第１充電チップから前記第２充電チップに切替える必要があると決定した場合、前記制御モジュールが、前記第１充電チップを制御して前記バッテリへの充電を停止し、前記第２充電チップを起動して前記バッテリへの充電を行うステップを実行するように構成される第３決定モジュールと
をさらに含む。
【００１３】
一実施例において、前記第１決定モジュールは、
現在前記バッテリへの充電を行っている第１充電チップの温度を決定するように構成される第３決定サブモジュールと、
前記第３決定サブモジュールが、前記第１充電チップの温度が事前に設定した温度値より高いと決定した場合、現在前記バッテリへの充電を行っている第１充電チップから前記バッテリへの充電を待っている第２充電チップに切替える必要があると決定するように構成される第４決定サブモジュールと
を含む。
【００１４】
一実施例において、前記装置は、
前記バッテリへの充電を待っている少なくとも１つの充電チップの現在温度を決定して、少なくとも１つの現在温度を取得するように構成される第４決定モジュールと、
前記第４決定モジュールにより決定された前記少なくとも１つの現在温度から１つの最低温度を決定し、前記最低温度が前記事前に設定した温度値より低い場合、前記最低温度に対応する充電チップを前記第２充電チップとするように構成される第５決定モジュールと
をさらに含む。
【００１５】
一実施例において、前記最低温度が前記事前に設定した温度値より高い場合、前記制御モジュールが、前記第１充電チップから前記バッテリへの充電電流を低下させるように構成される。
【００１６】
本発明の第３の態様によれば、
プロセッサと、
前記プロセッサにより実行可能なインストラクションを格納するためのメモリと
を備え、
前記プロセッサは、
端末機器のバッテリへの充電を行う際に、現在前記バッテリへの充電を行っている第１充電チップから前記バッテリへの充電を待っている第２充電チップに切替える必要があるか否かを決定し、
前記第１充電チップから前記第２充電チップに切替える必要があると決定した場合、前記第１充電チップを制御して前記バッテリへの充電を停止し、前記第２充電チップを起動して前記バッテリへの充電を行うように構成される
端末機器の充電制御装置を提供する。
【００１７】
本発明に提供された技術案によれば、以下のような技術効果を奏する。現在バッテリへの充電を行っている第１充電チップからバッテリへの充電を待っている第２充電チップに切替える必要があるか否かを決定することにより、充電チップにより時分割的にバッテリへの充電を行うことができるため、第１充電チップがまだ多くの熱を発生してないうちに、第１充電チップから第２充電チップに切替えてバッテリへの充電を行うことで、第１充電チップの充電時間が長すぎて高い熱を発生することが回避でき、また、第２充電チップが引き続きバッテリへの充電を行うため、第２充電チップの充電電流を低下させる必要がなく、充電チップの充電效率を向上させる。
【００１８】
なお、前記一般的な記載及び後述の詳細な記載は、単なる例示的で解釈的な記載であり、本発明を限定しない。
【図面の簡単な説明】
【００１９】
ここの図面は、明細書に組み入れて本明細書の一部分を構成し、本発明に該当する実施例を例示し、且つ明細書とともに本発明の原理の解釈に用いられる。
【図１】一実施例により示される端末機器の充電制御方法のフローチャートである。
【図２】実施例１により示される端末機器の充電制御方法のフローチャートである。
【図３】実施例２により示される端末機器の充電制御方法のフローチャートである。
【図４】一実施例により示される端末機器の充電制御装置のブロック図である。
【図５】一実施例により示される別の端末機器の充電制御装置のブロック図である。
【図６】一実施例により示される端末機器の充電制御に適用する装置のブロック図である。
【発明を実施するための形態】
【００２０】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。逆に、それらは、特許請求の範囲に記載の本発明のある側面に一致する装置及び方法の例に過ぎない。
【００２１】
図１は、一実施例により示される端末機器の充電制御方法のフローチャートであり、当該端末機器の充電制御方法は、端末機器（例えば、スマートホン、タブレットＰＣ）に適用できる。図１に示すように、当該端末機器の充電制御方法は、以下のステップＳ１０１〜Ｓ１０２を含む。
【００２２】
ステップＳ１０１において、端末機器のバッテリへの充電を行う際に、現在バッテリへの充電を行っている第１充電チップからバッテリへの充電を待っている第２充電チップに切替える必要があるか否かを決定する。
【００２３】
一実施例では、第１充電チップの充電持続時間が、事前に設定した充電期間に達したか否かをモニタリングすることにより、第１充電チップから第２充電チップに切替える必要があるか否かを決定でき、他の実施例では、第１充電チップの現在温度が事前に設定した温度値に達したか否かをモニタリングすることにより、第１充電チップから第２充電チップに切替える必要があるか否かも決定できる。
【００２４】
ステップＳ１０２において、第１充電チップから第２充電チップに切替える必要があると決定した場合、第１充電チップを制御してバッテリへの充電を停止し、第２充電チップを起動してバッテリへの充電を行う。
【００２５】
一実施例において、端末機器は充電チップを２個以上含んでもよい。即ち、現在バッテリへの充電を行っている第１充電チップと、バッテリへの充電を待っている少なくとも１つの充電チップとを含んでもよい。第２充電チップは、設定した条件に基づいて、少なくとも１つのバッテリチップから決定することができる。例えば、少なくとも１つのバッテリチップの現在温度に基づいて、温度の最も低い充電チップを第２充電チップとして選定してもよく、充電順番に従って、少なくとも１つの充電チップから、非充電状態の時間間隔が最も長い充電チップを第２充電チップとして選定してもよい。例えば、少なくとも１つの充電チップが、充電チップＡ、充電チップＢ、充電チップＣを含む場合、現在温度の最も低い充電チップが充電チップＣであれば、充電チップＣを第２充電チップとするか、又は、第１充電チップがバッテリへの充電を行う前に、充電チップＡ、充電チップＢ、充電チップＣの順にバッテリへの充電を行ったとすれば、充電チップＡの非充電状態の時間間隔が最も長いため、充電チップＡを第２充電チップとする。
【００２６】
本実施例によれば、現在バッテリへの充電を行っている第１充電チップからバッテリへの充電を待っている第２充電チップに切替える必要があるか否かを決定することにより、充電チップが時分割的にバッテリへの充電を行うことができ、それにより、第１充電チップがまだ多くの熱を発生してないうちに、第１充電チップから第２充電チップに切替えてバッテリへの充電を行うことで、第１充電チップの充電時間が長すぎて高い熱を発生することが回避でき、また、第２充電チップが引き続きバッテリへの充電を行うため、第２充電チップの充電電流を低下させる必要がなく、充電チップの充電效率を向上させ、さらに、端末機器を利用するユーザの感受を向上させることができる。
【００２７】
一実施例において、ステップＳ１０１は、
第１充電チップが現在バッテリへの充電を行っている第１充電持続時間を決定するステップと、
第１充電持続時間が事前に設定した持続期間に達したとき、第１充電チップからバッテリへの充電を待っている第２充電チップに切替える必要があると決定するステップと
を含んでもよい。
【００２８】
一実施例において、前記方法は、
第１充電持続時間が事前に設定した持続期間に達しなかったと決定した場合、第１充電チップの温度を決定するステップと、
第１充電チップの温度が事前に設定した温度値に達した場合、第１充電チップから第２充電チップに切替える必要があると決定し、第１充電チップを制御してバッテリへの充電を停止し、第２充電チップを起動してバッテリへの充電を行うステップを実行するステップと
をさらに含んでもよい。
【００２９】
一実施例において、ステップＳ１０１は、
現在バッテリへの充電を行っている第１充電チップの温度を決定するステップと、
第１充電チップの温度が事前に設定した温度値より高くなった場合、現在バッテリへの充電を行っている第１充電チップからバッテリへの充電を待っている第２充電チップに切替える必要があると決定するステップと
を含んでもよい。
【００３０】
一実施例において、前記方法は、
バッテリへの充電を待っている少なくとも１つの充電チップの現在温度を決定して、少なくとも１つの現在温度を取得するステップと、
少なくとも１つの現在温度から１つの最低温度を決定し、最低温度が事前に設定した温度値より低い場合、最低温度に対応する充電チップを第２充電チップとするステップと
をさらに含んでもよい。
【００３１】
一実施例において、前記方法は、
最低温度が事前に設定した温度値より高い場合、第１充電チップからバッテリへの充電電流を低下させるステップをさらに含んでもよい。
【００３２】
充電チップを如何に制御して端末機器のバッテリへの充電を行うことについては、後述の実施例を参照する。
【００３３】
これにより、本発明の実施例に提供される上述の方法によれば、第１充電チップがまだ多くの熱を発生していないうちに、第１充電チップから第２充電チップに切替えてバッテリへの充電を行うことで、第１充電チップの充電時間が長すぎて高い熱を発生することを回避でき、また、第２充電チップが引き続きバッテリへの充電を行うため、第２充電チップの充電電流を低下させる必要がなく、充電チップの充電效率を向上させ、さらに、端末機器を利用するユーザの感受を向上させることができる。
【００３４】
以下、具体的な実施例により、本発明の実施例に提供される技術案を説明する。
【００３５】
図２は、実施例１により示される端末機器の充電制御方法のフローチャートである。本実施例では、本発明の実施例に提供される上述の方法を利用して、充電チップの充電持続時間を制御することにより、第１充電チップから第２充電チップに切替えるか否かを決定する場合を例として、例示的に説明する。図２に示すように、以下のようなステップを含む。
【００３６】
ステップＳ２０１において、端末機器のバッテリへの充電を行う際に、第１充電チップが現在バッテリへの充電を行っている第１充電持続時間を決定する。
【００３７】
一実施例において、タイマーで第１充電チップの第１充電持続時間を計時してもよい。
【００３８】
ステップＳ２０２において、第１充電持続時間が事前に設定した持続期間に達したか否かを決定し、第１充電持続時間が事前に設定した持続期間に達したと決定した場合、ステップＳ２０３を実行し、第１充電持続時間が事前に設定した持続期間に達しなかったと決定した場合、ステップＳ２０４を実行する。
【００３９】
一実施例において、例えば、事前に設定した持続期間が１分間である場合、第１充電チップの充電持続時間が１分間に達したとき、第２充電チップに切替えてもよいと決定して、第２充電チップでバッテリへの充電を行う；同様にして、第２充電チップの充電持続時間が事前に設定した持続期間に達したとき、他のバッテリへの充電を待っている充電チップに切替えることができ、さらにバッテリを途切れなく充電する。
【００４０】
ステップＳ２０３において、第１充電チップを制御してバッテリへの充電を停止し、第２充電チップを起動してバッテリへの充電を行う。
【００４１】
ステップＳ２０４において、第１充電持続時間が事前に設定した持続期間に達しなかったと決定した場合、第１充電チップの温度が事前に設定した温度値に達したか否かを決定し、事前に設定した温度値に達したと決定した場合、ステップＳ２０３を実行し、事前に設定した温度値に達しなかったと決定した場合、ステップＳ２０１を実行する。
【００４２】
一実施例において、第１充電チップに温度センサを設置することにより、第１充電チップの温度を決定してもよい。一実施例において、第１充電チップの第１充電持続時間が事前に設定した持続期間にまだ達していない状況で、第１充電チップの温度をモニタリングすることにより、第１充電チップが材料の劣化などの原因で、温度の上昇が速すぎて高い熱を発生することが回避できるため、第１充電チップができるだけ低い熱を放出するようにする。
【００４３】
本実施例によれば、第１充電チップがまだ多くの熱を発生していないうちに、第１充電チップの充電時間及び現在温度をモニタリングすることにより、第１充電チップから第２充電チップに切替える必要があるか否かを決定して、バッテリを途切れなく充電することを確保でき、第１充電チップの充電時間が長すぎて高い熱を発生することが回避できる。なお、第２充電チップは充電していない時の温度が低いため、第２充電チップの充電電流を低下させる必要がなく、比較的大きい充電電流でバッテリを充電し得ることを確保して、充電チップの充電效率を向上させ、さらに、端末機器を利用するユーザの感受を向上させることができる。
【００４４】
図３は、一実施例２により示される端末機器の充電制御方法のフローチャートである。本実施例では、本発明の実施例に提供される上述の方法を利用して、充電チップの現在温度を制御することにより、第１充電チップから第２充電チップに切替えるか否かを決定することを例として、例示的に説明する。図３に示すように、以下のようなステップを含む。
【００４５】
ステップＳ３０１において、端末機器のバッテリへの充電を行う際に、現在バッテリへの充電を行っている第１充電チップの温度が、事前に設定した温度値より高いか否かを決定し、第１充電チップの温度が事前に設定した温度値より高いと決定した場合、ステップＳ３０２を実行し、第１充電チップの温度が事前に設定した温度値より低いと決定した場合、ステップＳ３０５を実行する。
【００４６】
一実施例では、第１充電チップに温度センサを設置することにより、第１充電チップの温度を決定してもよい。
【００４７】
ステップＳ３０２において、第１充電チップの温度が事前に設定した温度値より高くなった場合、バッテリへの充電を待っている少なくとも１つの充電チップの現在温度を決定して、少なくとも１つの現在温度を取得して、ステップＳ３０３を実行する。
【００４８】
一実施例において、コストをコントロール可能な範囲内で、本発明の実施例は、充電チップを複数個設置することで、バッテリへの充電を行ってもよい。例えば、第１充電チップ、充電チップＡ、充電チップＢ、充電チップＣを設置して、第１充電チップを現在バッテリへの充電を行っている充電チップとし、充電チップＡ、充電チップＢ及び充電チップＣをバッテリへの充電を待っている充電チップとする。
【００４９】
ステップＳ３０３において、少なくとも１つの現在温度から１つの最低温度を決定して、当該最低温度が事前に設定した温度値より低いか否かを決定し、当該最低温度が事前に設定した温度値より低い場合、ステップＳ３０４を実行して、当該最低温度が事前に設定した温度値より高い場合、ステップＳ３０６を実行する。
【００５０】
ステップＳ３０４において、最低温度に対応する充電チップを第２充電チップとして決定し、ステップＳ３０５を実行する。
【００５１】
一実施例において、例えば、充電チップＡ、充電チップＢ、充電チップＣに設置された温度センサにより、それぞれに対応する温度を取得してもよい。例えば、充電チップＡに対応する温度値が３０℃で、充電チップＢに対応する温度値が３５℃で、充電チップＣに対応する温度値が５０℃である。一実施例では、事前に設定した温度値が４０℃であり、この場合、充電チップＡと充電チップＢの温度のいずれも、事前に設定した温度値より低いため、充電チップＡと充電チップＢから温度の最も低い充電チップである充電チップＡを選定して第２充電チップとする。
【００５２】
ステップＳ３０５において、第１充電チップを制御してバッテリへの充電を停止し、第２充電チップを起動してバッテリへの充電を行う。
【００５３】
ステップＳ３０６において、最低温度が事前に設定した温度値より高い場合、第１充電チップからバッテリへの充電電流を低下させる。
【００５４】
一実施例において、例えば、充電チップＡ、充電チップＢ、充電チップＣに設置された温度センサにより、それぞれに対応する温度を取得してもよい。例えば、充電チップＡに対応する温度値が４５℃で、充電チップＢに対応する温度値が４８℃で、充電チップＣに対応する温度値が５０℃である。一実施例において、事前に設定した温度値が４０℃であり、この場合、充電チップＡ、充電チップＢ、充電チップＣの温度のいずれも事前に設定した温度値より高いため、この状況では、バッテリへの充電の安全性を確保するために、第１充電チップからバッテリへの充電電流を低下させてもよい。
【００５５】
本実施例によれば、第１充電チップの温度をモニタリングすることで、第１充電チップから第２充電チップに切替える必要があるか否かを決定し、バッテリを途切れなく充電することを確保でき、第１充電チップの充電時間が長すぎて高い熱を発生することを回避でき、また、第２充電チップは充電していない時の温度が低いため、第２充電チップの充電電流を低下させる必要がなく、比較的大きい充電電流でバッテリを充電し得ることを確保して、充電チップの充電效率を向上させ、さらに、端末機器を利用するユーザの感受を向上させることができる。
【００５６】
図４は、一実施例により示される端末機器の充電制御装置のブロック図である。図４に示すように、端末機器の充電制御装置は、
端末機器のバッテリへの充電を行う際に、現在バッテリへの充電を行っている第１充電チップからバッテリへの充電を待っている第２充電チップに切替える必要があるか否かを決定するように構成される第１決定モジュール４１と、
第１決定モジュール４１が、第１充電チップから第２充電チップに切替える必要があると決定した場合、第１充電チップを制御してバッテリへの充電を停止し、第２充電チップを起動してバッテリへの充電を行うように構成される制御モジュール４２と
を含む。
【００５７】
一実施例において、第１決定モジュール４１は、
第１充電チップが現在バッテリへの充電を行っている第１充電持続時間を決定するように構成される第１決定サブモジュール４１１と、
第１決定サブモジュール４１１が、第１充電持続時間が事前に設定した持続期間に達したと決定した場合、第１充電チップからバッテリへの充電を待っている第２充電チップに切替える必要があると決定するように構成される第２決定サブモジュール４１２と
を含んでもよい。
【００５８】
一実施例において、前記装置は、
第１決定サブモジュール４１１が、第１充電持続時間が事前に設定した持続期間に達しなかったと決定した場合、第１充電チップの温度を決定するように構成される第２決定モジュール４３と、
第２決定モジュール４３が、第１充電チップの温度が事前に設定した温度値に達したと決定し、第１充電チップから第２充電チップに切替える必要があると決定した場合、制御モジュール４２が第１充電チップを制御してバッテリへの充電を停止し、第２充電チップを起動してバッテリへの充電を行うステップを実行するように構成される第３決定モジュール４４と
をさらに含んでもよい。
【００５９】
一実施例において、第１決定モジュール４１は、
現在バッテリへの充電を行っている第１充電チップの温度を決定するように構成される第３決定サブモジュール４１３と、
第３決定サブモジュール４１３が、第１充電チップの温度が事前に設定した温度値より高くなったと決定した場合、現在バッテリへの充電を行っている第１充電チップからバッテリへの充電を待っている第２充電チップに切替える必要があると決定するように構成される第４決定サブモジュール４１４と
を含んでもよい。
【００６０】
一実施例において、前記装置は、
バッテリへの充電を待っている少なくとも１つの充電チップの現在温度を決定して、少なくとも１つの現在温度を取得するように構成される第４決定モジュール４５と、
第４決定モジュール４５により決定された少なくとも１つの現在温度から１つの最低温度を決定して、最低温度が事前に設定した温度値より低い場合、最低温度に対応する充電チップを第２充電チップとし、制御モジュール４２により第１充電チップから第２充電チップに切替えるように構成される第５決定モジュール４６と
をさらに含んでもよい。
【００６１】
一実施例において、制御モジュール４２は、最低温度が事前に設定した温度値より高い場合、第１充電チップからバッテリへの充電電流を低下させるように構成される。
【００６２】
上述の実施例における装置に関し、その各モジュールが操作を実行する具体的な方式は、既に関連する方法の実施例に詳細に説明したため、ここでは重複した説明を省略する。
【００６３】
図６は、一実施例により示される端末機器の充電制御に適用する装置のブロック図である。例えば、装置６００は、携帯電話、コンピュータ、デジタルブロードキャスト端末、メッセージ送受信機、ゲーム機、タブレットデバイス、医療機器、フィットネス機器、ＰＤＡ（Ｐｅｒｓｏｎａｌ  Ｄｉｇｉｔａｌ  Ａｓｓｉｓｔａｎｔ）等のものであってもよい。
【００６４】
図６を参照すると、装置６００は、処理アセンブリ６０２、メモリ６０４、電源アセンブリ６０６、マルチメディアアセンブリ６０８、オーディオアセンブリ６１０、入力／出力（Ｉ／Ｏ）インターフェース６１２、センサアセンブリ６１４、及び通信アセンブリ６１６からなる群から選ばれる少なくとも１つを備えてもよい。
【００６５】
処理アセンブリ６０２は、一般的には、装置６００の全体の操作、例えば、表示、電話呼び出し、データ通信、カメラ操作及び記録操作に関連する操作を制御する。処理アセンブリ６０２は、上述した方法におけるステップの一部又は全部を実現できるように、インストラクションを実行する少なくとも１つのプロセッサ６２０を備えてもよい。なお、処理アセンブリ６０２は、他のアセンブリとのインタラクションの便宜上、少なくとも１つのモジュールを備えてもよい。例えば、処理アセンブリ６０２は、マルチメディアアセンブリ６０８とのインタラクションの便利を図るために、マルチメディアモジュールを備えてもよい。
【００６６】
メモリ６０４は、装置６００における操作を支援するための、各種のデータを記憶するように構成される。これらのデータの例として、装置６００において操作される何れのアプリケーション又は方法に関するインストラクション、連絡先データ、電話帳データ、メッセージ、画像、ビデオ等を含む。メモリ６０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【００６７】
電源アセンブリ６０６は、装置６００の各種アセンブリに電力を供給するためのものであり、電源管理システム、１つ又は複数の電源、及び装置６００のために電力を生成、管理及び分配することに関連のある他のアセンブリを備えてもよい。
【００６８】
マルチメディアアセンブリ６０８は、装置６００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ６０８は、フロントカメラ及び／又はバックカメラを備えてもよい。装置６００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【００６９】
オーディオアセンブリ６１０は、オーディオ信号を出力及び／又は入力するように配置される。例えば、オーディオアセンブリ６１０は、マイクロフォン（ＭｉＣ）を有してもよい。装置６００が、例えば呼び出しモード、記録モード、又は音声認識モードのような操作モードにある場合、マイクロフォンは外部のオーディオ信号を受信するように構成される。受信したオーディオ信号は、メモリ６０４に記憶されてもよく、通信アセンブリ６１６を介して送信されてもよい。何れかの実施例において、オーディオアセンブリ６１０は、オーディオ信号を出力するためのスピーカをさらに備えてもよい。
【００７０】
Ｉ／Ｏインターフェース６１２は、処理アセンブリ６０２と周辺インターフェースモジュールとの間にインターフェースを提供するためのものである。前記周辺インターフェースモジュールは、キーボード、クリックホイール、ボタン等であってもよい。これらのボタンは、ホームボタンや、音量ボタン、スタートボタン、ロックボタンであってもよいが、それらに限らない。
【００７１】
センサアセンブリ６１４は、装置６００のために各方面の状態評価を提供するための少なくとも１つのセンサを備えてもよい。例えば、センサアセンブリ６１４は、装置６００のオン／オフ状態や、アセンブリの相対的な位置を検出することができる。例えば、前記アセンブリが装置６００のディスプレイ及びキーパッドである場合、センサアセンブリ６１４は、装置６００又は装置６００の１つのアセンブリの位置の変化や、ユーザと装置６００との接触の有無や、装置６００の方位又は加速／減速や、装置６００の温度変化を検出することができる。センサアセンブリ６１４は、何れの物理的接触もない状況にて付近の物体の有無を検出できるように構成される近接センサを含んでもよい。センサアセンブリ６１４は、さらに、画像表示技術分野に用いられる光センサ、例えばＣＭＯＳ又はＣＣＤ画像センサを含んでもよい。何れかの実施例において、当該センサアセンブリ６１４は、さらに、加速度センサ、ジャイロスコープセンサ、磁気センサ、圧力センサ又は温度センサを含んでもよい。
【００７２】
通信アセンブリ６１６は、装置６００と他の設備との間の無線又は有線通信が便利になるように構成される。装置６００は、通信標準に基づく無線ネットワーク、例えばＷｉＦｉ、２Ｇ又は３Ｇ、又はそれらの組み合わせにアクセスできる。１つの例示的な実施例において、通信アセンブリ６１６は、ブロードキャストチャンネルを介して外部のブロードキャスト管理システムからのブロードキャスト信号又はブロードキャストに関する情報を受信することができる。１つの実施例において、前記通信アセンブリ６１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）（登録商標）技術及び他の技術により実現されてもよい。
【００７３】
実施例において、装置６００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【００７４】
実施例において、さらに、装置６００のプロセッサ６２０により実行されることにより上述の方法を実現可能なインストラクションが記憶され、且つコンピュータに読み取り可能な不揮発性の記録媒体、例えばインストラクションが記憶されているメモリ６０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【００７５】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【００７６】
なお、本発明は、上述の説明及び図面により示された特定の構成に限定されず、その範囲を逸脱しない範囲で、様々な補正及び変更を実施してもよい。本発明の範囲は、添付される特許請求の範囲のみにより限定される。
【００７７】
本願は、出願番号が２０１５１００２０８７４．８であって、出願日が２０１５年１月１５日であり、発明の名称が「端末機器の充電制御方法及び装置」である中国特許出願に基づき優先権を主張し、当該中国特許出願のすべての内容を本願に援用する。
【図１】
2017506874.tif 000003
【図２】
2017506874.tif 000004
【図３】
2017506874.tif 000005
【図４】
2017506874.tif 000006
【図５】
2017506874.tif 000007
【図６】
2017506874.tif 000008
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
端末機器のバッテリへの充電を行う際に、現在前記バッテリへの充電を行っている第１充電チップから前記バッテリへの充電を待っている第２充電チップに切替える必要があるか否かを決定するステップと、
前記第１充電チップから前記第２充電チップに切替える必要があると決定した場合、前記第１充電チップを制御して前記バッテリへの充電を停止し、前記第２充電チップを起動して前記バッテリへの充電を行うステップと
を含むことを特徴とする端末機器の充電制御方法。
【請求項２】
現在前記バッテリへの充電を行っている第１充電チップから前記バッテリへの充電を待っている第２充電チップに切替える必要があるか否かを決定するステップは、
前記第１充電チップが現在前記バッテリへの充電を行っている第１充電持続時間を決定するステップと、
前記第１充電持続時間が事前に設定した持続期間に達したとき、前記第１充電チップから前記バッテリへの充電を待っている第２充電チップに切替える必要があると決定するステップと
を含むことを特徴とする請求項１に記載の端末機器の充電制御方法。
【請求項３】
前記第１充電持続時間が前記事前に設定した持続期間に達しなかったと決定した場合、前記第１充電チップの温度を決定するステップと、
前記第１充電チップの温度が事前に設定した温度値に達した場合、前記第１充電チップから前記第２充電チップに切替える必要があると決定し、前記第１充電チップを制御して前記バッテリへの充電を停止し、前記第２充電チップを起動して前記バッテリへの充電を行うステップを実行するステップと
をさらに含むことを特徴とする請求項２に記載の端末機器の充電制御方法。
【請求項４】
現在前記バッテリへの充電を行っている第１充電チップから前記バッテリへの充電を待っている第２充電チップに切替える必要があるか否かを決定するステップは、
現在前記バッテリへの充電を行っている第１充電チップの温度を決定するステップと、
前記第１充電チップの温度が事前に設定した温度値より高くなった場合、現在前記バッテリへの充電を行っている第１充電チップから前記バッテリへの充電を待っている第２充電チップに切替える必要があると決定するステップと
を含むことを特徴とする請求項１に記載の端末機器の充電制御方法。
【請求項５】
前記バッテリへの充電を待っている少なくとも１つの充電チップの現在温度を決定して、少なくとも１つの現在温度を取得するステップと、
前記少なくとも１つの現在温度から１つの最低温度を決定し、前記最低温度が前記事前に設定した温度値より低い場合、前記最低温度に対応する充電チップを前記第２充電チップとするステップと
をさらに含むことを特徴とする請求項４に記載の端末機器の充電制御方法。
【請求項６】
前記最低温度が前記事前に設定した温度値より高い場合、前記第１充電チップから前記バッテリへの充電電流を低下させるステップをさらに含むことを特徴とする請求項５に記載の端末機器の充電制御方法。
【請求項７】
端末機器のバッテリへの充電を行う際に、現在前記バッテリへの充電を行っている第１充電チップから前記バッテリへの充電を待っている第２充電チップに切替える必要があるか否かを決定するように構成される第１決定モジュールと、
前記第１決定モジュールが、前記第１充電チップから前記第２充電チップに切替える必要があると決定した場合、前記第１充電チップを制御して前記バッテリへの充電を停止し、前記第２充電チップを起動して前記バッテリへの充電を行うように構成される制御モジュールと
を含むことを特徴とする端末機器の充電制御装置。
【請求項８】
前記第１決定モジュールは、
前記第１充電チップが現在前記バッテリへの充電を行っている第１充電持続時間を決定するように構成される第１決定サブモジュールと、
前記第１決定サブモジュールが、前記第１充電持続時間が事前に設定した持続期間に達したと決定した場合、前記第１充電チップから前記バッテリへの充電を待っている第２充電チップに切替える必要があると決定するように構成される第２決定サブモジュールと
を含むことを特徴とする請求項７に記載の端末機器の充電制御装置。
【請求項９】
前記第１決定モジュールが、前記第１充電持続時間が前記事前に設定した持続期間に達しなかったと決定した場合、前記第１充電チップの温度を決定するように構成される第２決定モジュールと、
前記第２決定サブモジュールが、前記第１充電チップの温度が事前に設定した温度値に達したと決定し、前記第１充電チップから前記第２充電チップに切替える必要があると決定した場合、前記制御モジュールが、前記第１充電チップを制御して前記バッテリへの充電を停止し、前記第２充電チップを起動して前記バッテリへの充電を行うステップを実行するように構成される第３決定モジュールと
をさらに含むことを特徴とする請求項８に記載の端末機器の充電制御装置。
【請求項１０】
前記第１決定モジュールは、
現在前記バッテリへの充電を行っている第１充電チップの温度を決定するように構成される第３決定サブモジュールと、
前記第３決定サブモジュールが、前記第１充電チップの温度が事前に設定した温度値より高いと決定した場合、現在前記バッテリへの充電を行っている第１充電チップから前記バッテリへの充電を待っている第２充電チップに切替える必要があると決定するように構成される第４決定サブモジュールと
を含むことを特徴とする請求項７に記載の端末機器の充電制御装置。
【請求項１１】
前記バッテリへの充電を待っている少なくとも１つの充電チップの現在温度を決定して、少なくとも１つの現在温度を取得するように構成される第４決定モジュールと、
前記第４決定モジュールにより決定された前記少なくとも１つの現在温度から１つの最低温度を決定し、前記最低温度が前記事前に設定した温度値より低い場合、前記最低温度に対応する充電チップを前記第２充電チップとするように構成される第５決定モジュールと
をさらに含むことを特徴とする請求項１０に記載の端末機器の充電制御装置。
【請求項１２】
前記最低温度が前記事前に設定した温度値より高い場合、前記制御モジュールが、前記第１充電チップから前記バッテリへの充電電流を低下させるように構成されることを特徴とする請求項１１に記載の端末機器の充電制御装置。
【請求項１３】
プロセッサと、
前記プロセッサにより実行可能なインストラクションを格納するためのメモリと
を備え、
前記プロセッサは、
端末機器のバッテリへの充電を行う際に、現在前記バッテリへの充電を行っている第１充電チップから前記バッテリへの充電を待っている第２充電チップに切替える必要があるか否かを決定し、
前記第１充電チップから前記第２充電チップに切替える必要があると決定した場合、前記第１充電チップを制御して前記バッテリへの充電を停止し、前記第２充電チップを起動して前記バッテリへの充電を行う
ように構成されることを特徴とする端末機器の充電制御装置。
【請求項１４】
プロセッサに実行されることにより、請求項１から請求項６のいずれか１項に記載の方法を実現することを特徴とするプログラム。
【請求項１５】
請求項１４に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、通信技術分野に関し、特に端末機器の充電制御方法及び装置、プログラム及び記録媒体に関する。
【背景技術】
【０００２】
モバイル機器が日増しに普及していることに伴い、ユーザはモバイル端末の充電に当たって、充電時間をできる限り短くすることが期待されており、モバイル機器の充電時間を短くすることによって、ユーザの感受を向上させることができる。従来技術では、充電チップを利用してモバイル機器を充電し、充電過程において充電チップがずっと充電状態にあるため、充電過程に亘ってずっと熱を発生し続ける。モバイル機器を速いスピードで満充電する必要がある場合、充電チップの充電電流を増加しなければならないが、充電電流を増加すると、充電チップが高い熱を放出してしまい、ユーザの感受を悪化させる。充電チップの発熱を減少させるためには、充電チップの充電電流を低下させる必要があるが、この場合、充電チップの充電時間が長くなり、充電効率が低下して、ユーザの感受をさらに悪化させてしまう。
【発明の概要】
【課題を解決するための手段】
【０００３】
従来技術に存在する問題点を解決するために、本発明の実施例は、端末機器を充電する際に大量の熱が発生することを避けると共に、端末機器の充電效率を向上させるための端末機器の充電を制御する方法及び装置、プログラム及び記録媒体を提供する。
【０００４】
本発明の第１の態様によれば、
端末機器のバッテリへの充電を行う際に、現在前記バッテリへの充電を行っている第１充電チップから前記バッテリへの充電を待っている第２充電チップに切替える必要があるか否かを決定するステップと、
前記第１充電チップから前記第２充電チップに切替える必要があると決定した場合、前記第１充電チップを制御して前記バッテリへの充電を停止し、前記第２充電チップを起動して前記バッテリへの充電を行うステップと
を含む端末機器の充電制御方法を提供する。
【０００５】
一実施例において、現在前記バッテリへの充電を行っている第１充電チップから前記バッテリへの充電を待っている第２充電チップに切替える必要があるか否かを決定するステップは、
前記第１充電チップが現在前記バッテリへの充電を行っている第１充電持続時間を決定するステップと、
前記第１充電持続時間が事前に設定した持続期間に達したとき、前記第１充電チップから前記バッテリへの充電を待っている第２充電チップに切替える必要があると決定するステップと
を含んでもよい。
【０００６】
一実施例において、前記方法は、
前記第１充電持続時間が前記事前に設定した持続期間に達しなかったと決定した場合、前記第１充電チップの温度を決定するステップと、
前記第１充電チップの温度が事前に設定した温度値に達した場合、前記第１充電チップから前記第２充電チップに切替える必要があると決定し、前記第１充電チップを制御して前記バッテリへの充電を停止し、前記第２充電チップを起動して前記バッテリへの充電を行うステップを実行するステップと
をさらに含んでもよい。
【０００７】
一実施例において、現在前記バッテリへの充電を行っている第１充電チップから前記バッテリへの充電を待っている第２充電チップに切替える必要があるか否かを決定するステップは、
現在前記バッテリへの充電を行っている第１充電チップの温度を決定するステップと、
前記第１充電チップの温度が事前に設定した温度値より高くなった場合、現在前記バッテリへの充電を行っている第１充電チップから前記バッテリへの充電を待っている第２充電チップに切替える必要があると決定するステップと
を含んでもよい。
【０００８】
一実施例において、前記方法は、
前記バッテリへの充電を待っている少なくとも１つの充電チップの現在温度を決定して、少なくとも１つの現在温度を取得するステップと、
前記少なくとも１つの現在温度から１つの最低温度を決定し、前記最低温度が前記事前に設定した温度値より低い場合、前記最低温度に対応する充電チップを前記第２充電チップとするステップと
をさらに含んでもよい。
【０００９】
一実施例において、前記方法は、
前記最低温度が前記事前に設定した温度値より高い場合、前記第１充電チップから前記バッテリへの充電電流を低下させるステップをさらに含んでもよい。
【００１０】
本発明の第２の態様によれば、
端末機器のバッテリへの充電を行う際に、現在前記バッテリへの充電を行っている第１充電チップから前記バッテリへの充電を待っている第２充電チップに切替える必要があるか否かを決定するように構成される第１決定モジュールと、
前記第１決定モジュールが、前記第１充電チップから前記第２充電チップに切替える必要があると決定した場合、前記第１充電チップを制御して前記バッテリへの充電を停止し、前記第２充電チップを起動して前記バッテリへの充電を行うように構成される制御モジュールと
を含む端末機器の充電制御装置を提供する。
【００１１】
一実施例において、前記第１決定モジュールは、
前記第１充電チップが現在前記バッテリへの充電を行っている第１充電持続時間を決定するように構成される第１決定サブモジュールと、
前記第１決定サブモジュールが、前記第１充電持続時間が事前に設定した持続期間に達したと決定した場合、前記第１充電チップから前記バッテリへの充電を待っている第２充電チップに切替える必要があると決定するように構成される第２決定サブモジュールと
を含む。
【００１２】
一実施例において、前記装置は、
前記第１決定モジュールが、前記第１充電持続時間が前記事前に設定した持続期間に達しなかったと決定した場合、前記第１充電チップの温度を決定するように構成される第２決定モジュールと、
前記第２決定サブモジュールが、前記第１充電チップの温度が事前に設定した温度値に達したと決定し、前記第１充電チップから前記第２充電チップに切替える必要があると決定した場合、前記制御モジュールが、前記第１充電チップを制御して前記バッテリへの充電を停止し、前記第２充電チップを起動して前記バッテリへの充電を行うステップを実行するように構成される第３決定モジュールと
をさらに含む。
【００１３】
一実施例において、前記第１決定モジュールは、
現在前記バッテリへの充電を行っている第１充電チップの温度を決定するように構成される第３決定サブモジュールと、
前記第３決定サブモジュールが、前記第１充電チップの温度が事前に設定した温度値より高いと決定した場合、現在前記バッテリへの充電を行っている第１充電チップから前記バッテリへの充電を待っている第２充電チップに切替える必要があると決定するように構成される第４決定サブモジュールと
を含む。
【００１４】
一実施例において、前記装置は、
前記バッテリへの充電を待っている少なくとも１つの充電チップの現在温度を決定して、少なくとも１つの現在温度を取得するように構成される第４決定モジュールと、
前記第４決定モジュールにより決定された前記少なくとも１つの現在温度から１つの最低温度を決定し、前記最低温度が前記事前に設定した温度値より低い場合、前記最低温度に対応する充電チップを前記第２充電チップとするように構成される第５決定モジュールと
をさらに含む。
【００１５】
一実施例において、前記最低温度が前記事前に設定した温度値より高い場合、前記制御モジュールが、前記第１充電チップから前記バッテリへの充電電流を低下させるように構成される。
【００１６】
本発明の第３の態様によれば、
プロセッサと、
前記プロセッサにより実行可能なインストラクションを格納するためのメモリと
を備え、
前記プロセッサは、
端末機器のバッテリへの充電を行う際に、現在前記バッテリへの充電を行っている第１充電チップから前記バッテリへの充電を待っている第２充電チップに切替える必要があるか否かを決定し、
前記第１充電チップから前記第２充電チップに切替える必要があると決定した場合、前記第１充電チップを制御して前記バッテリへの充電を停止し、前記第２充電チップを起動して前記バッテリへの充電を行うように構成される
端末機器の充電制御装置を提供する。
本発明の実施例に係る第４態様によれば、
プロセッサに実行されることにより、第１態様による前記方法を実現するプログラムを提供する。
本発明の実施例に係る第５態様によれば、
第４態様による前記プログラムが記録されている記録媒体を提供する。
【００１７】
本発明に提供された技術案によれば、以下のような技術効果を奏する。現在バッテリへの充電を行っている第１充電チップからバッテリへの充電を待っている第２充電チップに切替える必要があるか否かを決定することにより、充電チップにより時分割的にバッテリへの充電を行うことができるため、第１充電チップがまだ多くの熱を発生してないうちに、第１充電チップから第２充電チップに切替えてバッテリへの充電を行うことで、第１充電チップの充電時間が長すぎて高い熱を発生することが回避でき、また、第２充電チップが引き続きバッテリへの充電を行うため、第２充電チップの充電電流を低下させる必要がなく、充電チップの充電效率を向上させる。
【００１８】
なお、前記一般的な記載及び後述の詳細な記載は、単なる例示的で解釈的な記載であり、本発明を限定しない。
【図面の簡単な説明】
【００１９】
ここの図面は、明細書に組み入れて本明細書の一部分を構成し、本発明に該当する実施例を例示し、且つ明細書とともに本発明の原理の解釈に用いられる。
【図１】一実施例により示される端末機器の充電制御方法のフローチャートである。
【図２】実施例１により示される端末機器の充電制御方法のフローチャートである。
【図３】実施例２により示される端末機器の充電制御方法のフローチャートである。
【図４】一実施例により示される端末機器の充電制御装置のブロック図である。
【図５】一実施例により示される別の端末機器の充電制御装置のブロック図である。
【図６】一実施例により示される端末機器の充電制御に適用する装置のブロック図である。
【発明を実施するための形態】
【００２０】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。逆に、それらは、特許請求の範囲に記載の本発明のある側面に一致する装置及び方法の例に過ぎない。
【００２１】
図１は、一実施例により示される端末機器の充電制御方法のフローチャートであり、当該端末機器の充電制御方法は、端末機器（例えば、スマートホン、タブレットＰＣ）に適用できる。図１に示すように、当該端末機器の充電制御方法は、以下のステップＳ１０１〜Ｓ１０２を含む。
【００２２】
ステップＳ１０１において、端末機器のバッテリへの充電を行う際に、現在バッテリへの充電を行っている第１充電チップからバッテリへの充電を待っている第２充電チップに切替える必要があるか否かを決定する。
【００２３】
一実施例では、第１充電チップの充電持続時間が、事前に設定した充電期間に達したか否かをモニタリングすることにより、第１充電チップから第２充電チップに切替える必要があるか否かを決定でき、他の実施例では、第１充電チップの現在温度が事前に設定した温度値に達したか否かをモニタリングすることにより、第１充電チップから第２充電チップに切替える必要があるか否かも決定できる。
【００２４】
ステップＳ１０２において、第１充電チップから第２充電チップに切替える必要があると決定した場合、第１充電チップを制御してバッテリへの充電を停止し、第２充電チップを起動してバッテリへの充電を行う。
【００２５】
一実施例において、端末機器は充電チップを２個以上含んでもよい。即ち、現在バッテリへの充電を行っている第１充電チップと、バッテリへの充電を待っている少なくとも１つの充電チップとを含んでもよい。第２充電チップは、設定した条件に基づいて、少なくとも１つのバッテリチップから決定することができる。例えば、少なくとも１つのバッテリチップの現在温度に基づいて、温度の最も低い充電チップを第２充電チップとして選定してもよく、充電順番に従って、少なくとも１つの充電チップから、非充電状態の時間間隔が最も長い充電チップを第２充電チップとして選定してもよい。例えば、少なくとも１つの充電チップが、充電チップＡ、充電チップＢ、充電チップＣを含む場合、現在温度の最も低い充電チップが充電チップＣであれば、充電チップＣを第２充電チップとするか、又は、第１充電チップがバッテリへの充電を行う前に、充電チップＡ、充電チップＢ、充電チップＣの順にバッテリへの充電を行ったとすれば、充電チップＡの非充電状態の時間間隔が最も長いため、充電チップＡを第２充電チップとする。
【００２６】
本実施例によれば、現在バッテリへの充電を行っている第１充電チップからバッテリへの充電を待っている第２充電チップに切替える必要があるか否かを決定することにより、充電チップが時分割的にバッテリへの充電を行うことができ、それにより、第１充電チップがまだ多くの熱を発生してないうちに、第１充電チップから第２充電チップに切替えてバッテリへの充電を行うことで、第１充電チップの充電時間が長すぎて高い熱を発生することが回避でき、また、第２充電チップが引き続きバッテリへの充電を行うため、第２充電チップの充電電流を低下させる必要がなく、充電チップの充電效率を向上させ、さらに、端末機器を利用するユーザの感受を向上させることができる。
【００２７】
一実施例において、ステップＳ１０１は、
第１充電チップが現在バッテリへの充電を行っている第１充電持続時間を決定するステップと、
第１充電持続時間が事前に設定した持続期間に達したとき、第１充電チップからバッテリへの充電を待っている第２充電チップに切替える必要があると決定するステップと
を含んでもよい。
【００２８】
一実施例において、前記方法は、
第１充電持続時間が事前に設定した持続期間に達しなかったと決定した場合、第１充電チップの温度を決定するステップと、
第１充電チップの温度が事前に設定した温度値に達した場合、第１充電チップから第２充電チップに切替える必要があると決定し、第１充電チップを制御してバッテリへの充電を停止し、第２充電チップを起動してバッテリへの充電を行うステップを実行するステップと
をさらに含んでもよい。
【００２９】
一実施例において、ステップＳ１０１は、
現在バッテリへの充電を行っている第１充電チップの温度を決定するステップと、
第１充電チップの温度が事前に設定した温度値より高くなった場合、現在バッテリへの充電を行っている第１充電チップからバッテリへの充電を待っている第２充電チップに切替える必要があると決定するステップと
を含んでもよい。
【００３０】
一実施例において、前記方法は、
バッテリへの充電を待っている少なくとも１つの充電チップの現在温度を決定して、少なくとも１つの現在温度を取得するステップと、
少なくとも１つの現在温度から１つの最低温度を決定し、最低温度が事前に設定した温度値より低い場合、最低温度に対応する充電チップを第２充電チップとするステップと
をさらに含んでもよい。
【００３１】
一実施例において、前記方法は、
最低温度が事前に設定した温度値より高い場合、第１充電チップからバッテリへの充電電流を低下させるステップをさらに含んでもよい。
【００３２】
充電チップを如何に制御して端末機器のバッテリへの充電を行うことについては、後述の実施例を参照する。
【００３３】
これにより、本発明の実施例に提供される上述の方法によれば、第１充電チップがまだ多くの熱を発生していないうちに、第１充電チップから第２充電チップに切替えてバッテリへの充電を行うことで、第１充電チップの充電時間が長すぎて高い熱を発生することを回避でき、また、第２充電チップが引き続きバッテリへの充電を行うため、第２充電チップの充電電流を低下させる必要がなく、充電チップの充電效率を向上させ、さらに、端末機器を利用するユーザの感受を向上させることができる。
【００３４】
以下、具体的な実施例により、本発明の実施例に提供される技術案を説明する。
【００３５】
図２は、実施例１により示される端末機器の充電制御方法のフローチャートである。本実施例では、本発明の実施例に提供される上述の方法を利用して、充電チップの充電持続時間を制御することにより、第１充電チップから第２充電チップに切替えるか否かを決定する場合を例として、例示的に説明する。図２に示すように、以下のようなステップを含む。
【００３６】
ステップＳ２０１において、端末機器のバッテリへの充電を行う際に、第１充電チップが現在バッテリへの充電を行っている第１充電持続時間を決定する。
【００３７】
一実施例において、タイマーで第１充電チップの第１充電持続時間を計時してもよい。
【００３８】
ステップＳ２０２において、第１充電持続時間が事前に設定した持続期間に達したか否かを決定し、第１充電持続時間が事前に設定した持続期間に達したと決定した場合、ステップＳ２０３を実行し、第１充電持続時間が事前に設定した持続期間に達しなかったと決定した場合、ステップＳ２０４を実行する。
【００３９】
一実施例において、例えば、事前に設定した持続期間が１分間である場合、第１充電チップの充電持続時間が１分間に達したとき、第２充電チップに切替えてもよいと決定して、第２充電チップでバッテリへの充電を行う；同様にして、第２充電チップの充電持続時間が事前に設定した持続期間に達したとき、他のバッテリへの充電を待っている充電チップに切替えることができ、さらにバッテリを途切れなく充電する。
【００４０】
ステップＳ２０３において、第１充電チップを制御してバッテリへの充電を停止し、第２充電チップを起動してバッテリへの充電を行う。
【００４１】
ステップＳ２０４において、第１充電持続時間が事前に設定した持続期間に達しなかったと決定した場合、第１充電チップの温度が事前に設定した温度値に達したか否かを決定し、事前に設定した温度値に達したと決定した場合、ステップＳ２０３を実行し、事前に設定した温度値に達しなかったと決定した場合、ステップＳ２０１を実行する。
【００４２】
一実施例において、第１充電チップに温度センサを設置することにより、第１充電チップの温度を決定してもよい。一実施例において、第１充電チップの第１充電持続時間が事前に設定した持続期間にまだ達していない状況で、第１充電チップの温度をモニタリングすることにより、第１充電チップが材料の劣化などの原因で、温度の上昇が速すぎて高い熱を発生することが回避できるため、第１充電チップができるだけ低い熱を放出するようにする。
【００４３】
本実施例によれば、第１充電チップがまだ多くの熱を発生していないうちに、第１充電チップの充電時間及び現在温度をモニタリングすることにより、第１充電チップから第２充電チップに切替える必要があるか否かを決定して、バッテリを途切れなく充電することを確保でき、第１充電チップの充電時間が長すぎて高い熱を発生することが回避できる。なお、第２充電チップは充電していない時の温度が低いため、第２充電チップの充電電流を低下させる必要がなく、比較的大きい充電電流でバッテリを充電し得ることを確保して、充電チップの充電效率を向上させ、さらに、端末機器を利用するユーザの感受を向上させることができる。
【００４４】
図３は、一実施例２により示される端末機器の充電制御方法のフローチャートである。本実施例では、本発明の実施例に提供される上述の方法を利用して、充電チップの現在温度を制御することにより、第１充電チップから第２充電チップに切替えるか否かを決定することを例として、例示的に説明する。図３に示すように、以下のようなステップを含む。
【００４５】
ステップＳ３０１において、端末機器のバッテリへの充電を行う際に、現在バッテリへの充電を行っている第１充電チップの温度が、事前に設定した温度値より高いか否かを決定し、第１充電チップの温度が事前に設定した温度値より高いと決定した場合、ステップＳ３０２を実行し、第１充電チップの温度が事前に設定した温度値より低いと決定した場合、ステップＳ３０５を実行する。
【００４６】
一実施例では、第１充電チップに温度センサを設置することにより、第１充電チップの温度を決定してもよい。
【００４７】
ステップＳ３０２において、第１充電チップの温度が事前に設定した温度値より高くなった場合、バッテリへの充電を待っている少なくとも１つの充電チップの現在温度を決定して、少なくとも１つの現在温度を取得して、ステップＳ３０３を実行する。
【００４８】
一実施例において、コストをコントロール可能な範囲内で、本発明の実施例は、充電チップを複数個設置することで、バッテリへの充電を行ってもよい。例えば、第１充電チップ、充電チップＡ、充電チップＢ、充電チップＣを設置して、第１充電チップを現在バッテリへの充電を行っている充電チップとし、充電チップＡ、充電チップＢ及び充電チップＣをバッテリへの充電を待っている充電チップとする。
【００４９】
ステップＳ３０３において、少なくとも１つの現在温度から１つの最低温度を決定して、当該最低温度が事前に設定した温度値より低いか否かを決定し、当該最低温度が事前に設定した温度値より低い場合、ステップＳ３０４を実行して、当該最低温度が事前に設定した温度値より高い場合、ステップＳ３０６を実行する。
【００５０】
ステップＳ３０４において、最低温度に対応する充電チップを第２充電チップとして決定し、ステップＳ３０５を実行する。
【００５１】
一実施例において、例えば、充電チップＡ、充電チップＢ、充電チップＣに設置された温度センサにより、それぞれに対応する温度を取得してもよい。例えば、充電チップＡに対応する温度値が３０℃で、充電チップＢに対応する温度値が３５℃で、充電チップＣに対応する温度値が５０℃である。一実施例では、事前に設定した温度値が４０℃であり、この場合、充電チップＡと充電チップＢの温度のいずれも、事前に設定した温度値より低いため、充電チップＡと充電チップＢから温度の最も低い充電チップである充電チップＡを選定して第２充電チップとする。
【００５２】
ステップＳ３０５において、第１充電チップを制御してバッテリへの充電を停止し、第２充電チップを起動してバッテリへの充電を行う。
【００５３】
ステップＳ３０６において、最低温度が事前に設定した温度値より高い場合、第１充電チップからバッテリへの充電電流を低下させる。
【００５４】
一実施例において、例えば、充電チップＡ、充電チップＢ、充電チップＣに設置された温度センサにより、それぞれに対応する温度を取得してもよい。例えば、充電チップＡに対応する温度値が４５℃で、充電チップＢに対応する温度値が４８℃で、充電チップＣに対応する温度値が５０℃である。一実施例において、事前に設定した温度値が４０℃であり、この場合、充電チップＡ、充電チップＢ、充電チップＣの温度のいずれも事前に設定した温度値より高いため、この状況では、バッテリへの充電の安全性を確保するために、第１充電チップからバッテリへの充電電流を低下させてもよい。
【００５５】
本実施例によれば、第１充電チップの温度をモニタリングすることで、第１充電チップから第２充電チップに切替える必要があるか否かを決定し、バッテリを途切れなく充電することを確保でき、第１充電チップの充電時間が長すぎて高い熱を発生することを回避でき、また、第２充電チップは充電していない時の温度が低いため、第２充電チップの充電電流を低下させる必要がなく、比較的大きい充電電流でバッテリを充電し得ることを確保して、充電チップの充電效率を向上させ、さらに、端末機器を利用するユーザの感受を向上させることができる。
【００５６】
図４は、一実施例により示される端末機器の充電制御装置のブロック図である。図４に示すように、端末機器の充電制御装置は、
端末機器のバッテリへの充電を行う際に、現在バッテリへの充電を行っている第１充電チップからバッテリへの充電を待っている第２充電チップに切替える必要があるか否かを決定するように構成される第１決定モジュール４１と、
第１決定モジュール４１が、第１充電チップから第２充電チップに切替える必要があると決定した場合、第１充電チップを制御してバッテリへの充電を停止し、第２充電チップを起動してバッテリへの充電を行うように構成される制御モジュール４２と
を含む。
【００５７】
一実施例において、第１決定モジュール４１は、
第１充電チップが現在バッテリへの充電を行っている第１充電持続時間を決定するように構成される第１決定サブモジュール４１１と、
第１決定サブモジュール４１１が、第１充電持続時間が事前に設定した持続期間に達したと決定した場合、第１充電チップからバッテリへの充電を待っている第２充電チップに切替える必要があると決定するように構成される第２決定サブモジュール４１２と
を含んでもよい。
【００５８】
一実施例において、前記装置は、
第１決定サブモジュール４１１が、第１充電持続時間が事前に設定した持続期間に達しなかったと決定した場合、第１充電チップの温度を決定するように構成される第２決定モジュール４３と、
第２決定モジュール４３が、第１充電チップの温度が事前に設定した温度値に達したと決定し、第１充電チップから第２充電チップに切替える必要があると決定した場合、制御モジュール４２が第１充電チップを制御してバッテリへの充電を停止し、第２充電チップを起動してバッテリへの充電を行うステップを実行するように構成される第３決定モジュール４４と
をさらに含んでもよい。
【００５９】
一実施例において、第１決定モジュール４１は、
現在バッテリへの充電を行っている第１充電チップの温度を決定するように構成される第３決定サブモジュール４１３と、
第３決定サブモジュール４１３が、第１充電チップの温度が事前に設定した温度値より高くなったと決定した場合、現在バッテリへの充電を行っている第１充電チップからバッテリへの充電を待っている第２充電チップに切替える必要があると決定するように構成される第４決定サブモジュール４１４と
を含んでもよい。
【００６０】
一実施例において、前記装置は、
バッテリへの充電を待っている少なくとも１つの充電チップの現在温度を決定して、少なくとも１つの現在温度を取得するように構成される第４決定モジュール４５と、
第４決定モジュール４５により決定された少なくとも１つの現在温度から１つの最低温度を決定して、最低温度が事前に設定した温度値より低い場合、最低温度に対応する充電チップを第２充電チップとし、制御モジュール４２により第１充電チップから第２充電チップに切替えるように構成される第５決定モジュール４６と
をさらに含んでもよい。
【００６１】
一実施例において、制御モジュール４２は、最低温度が事前に設定した温度値より高い場合、第１充電チップからバッテリへの充電電流を低下させるように構成される。
【００６２】
上述の実施例における装置に関し、その各モジュールが操作を実行する具体的な方式は、既に関連する方法の実施例に詳細に説明したため、ここでは重複した説明を省略する。
【００６３】
図６は、一実施例により示される端末機器の充電制御に適用する装置のブロック図である。例えば、装置６００は、携帯電話、コンピュータ、デジタルブロードキャスト端末、メッセージ送受信機、ゲーム機、タブレットデバイス、医療機器、フィットネス機器、ＰＤＡ（Ｐｅｒｓｏｎａｌ  Ｄｉｇｉｔａｌ  Ａｓｓｉｓｔａｎｔ）等のものであってもよい。
【００６４】
図６を参照すると、装置６００は、処理アセンブリ６０２、メモリ６０４、電源アセンブリ６０６、マルチメディアアセンブリ６０８、オーディオアセンブリ６１０、入力／出力（Ｉ／Ｏ）インターフェース６１２、センサアセンブリ６１４、及び通信アセンブリ６１６からなる群から選ばれる少なくとも１つを備えてもよい。
【００６５】
処理アセンブリ６０２は、一般的には、装置６００の全体の操作、例えば、表示、電話呼び出し、データ通信、カメラ操作及び記録操作に関連する操作を制御する。処理アセンブリ６０２は、上述した方法におけるステップの一部又は全部を実現できるように、インストラクションを実行する少なくとも１つのプロセッサ６２０を備えてもよい。なお、処理アセンブリ６０２は、他のアセンブリとのインタラクションの便宜上、少なくとも１つのモジュールを備えてもよい。例えば、処理アセンブリ６０２は、マルチメディアアセンブリ６０８とのインタラクションの便利を図るために、マルチメディアモジュールを備えてもよい。
【００６６】
メモリ６０４は、装置６００における操作を支援するための、各種のデータを記憶するように構成される。これらのデータの例として、装置６００において操作される何れのアプリケーション又は方法に関するインストラクション、連絡先データ、電話帳データ、メッセージ、画像、ビデオ等を含む。メモリ６０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【００６７】
電源アセンブリ６０６は、装置６００の各種アセンブリに電力を供給するためのものであり、電源管理システム、１つ又は複数の電源、及び装置６００のために電力を生成、管理及び分配することに関連のある他のアセンブリを備えてもよい。
【００６８】
マルチメディアアセンブリ６０８は、装置６００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ６０８は、フロントカメラ及び／又はバックカメラを備えてもよい。装置６００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【００６９】
オーディオアセンブリ６１０は、オーディオ信号を出力及び／又は入力するように配置される。例えば、オーディオアセンブリ６１０は、マイクロフォン（ＭｉＣ）を有してもよい。装置６００が、例えば呼び出しモード、記録モード、又は音声認識モードのような操作モードにある場合、マイクロフォンは外部のオーディオ信号を受信するように構成される。受信したオーディオ信号は、メモリ６０４に記憶されてもよく、通信アセンブリ６１６を介して送信されてもよい。何れかの実施例において、オーディオアセンブリ６１０は、オーディオ信号を出力するためのスピーカをさらに備えてもよい。
【００７０】
Ｉ／Ｏインターフェース６１２は、処理アセンブリ６０２と周辺インターフェースモジュールとの間にインターフェースを提供するためのものである。前記周辺インターフェースモジュールは、キーボード、クリックホイール、ボタン等であってもよい。これらのボタンは、ホームボタンや、音量ボタン、スタートボタン、ロックボタンであってもよいが、それらに限らない。
【００７１】
センサアセンブリ６１４は、装置６００のために各方面の状態評価を提供するための少なくとも１つのセンサを備えてもよい。例えば、センサアセンブリ６１４は、装置６００のオン／オフ状態や、アセンブリの相対的な位置を検出することができる。例えば、前記アセンブリが装置６００のディスプレイ及びキーパッドである場合、センサアセンブリ６１４は、装置６００又は装置６００の１つのアセンブリの位置の変化や、ユーザと装置６００との接触の有無や、装置６００の方位又は加速／減速や、装置６００の温度変化を検出することができる。センサアセンブリ６１４は、何れの物理的接触もない状況にて付近の物体の有無を検出できるように構成される近接センサを含んでもよい。センサアセンブリ６１４は、さらに、画像表示技術分野に用いられる光センサ、例えばＣＭＯＳ又はＣＣＤ画像センサを含んでもよい。何れかの実施例において、当該センサアセンブリ６１４は、さらに、加速度センサ、ジャイロスコープセンサ、磁気センサ、圧力センサ又は温度センサを含んでもよい。
【００７２】
通信アセンブリ６１６は、装置６００と他の設備との間の無線又は有線通信が便利になるように構成される。装置６００は、通信標準に基づく無線ネットワーク、例えばＷｉＦｉ、２Ｇ又は３Ｇ、又はそれらの組み合わせにアクセスできる。１つの例示的な実施例において、通信アセンブリ６１６は、ブロードキャストチャンネルを介して外部のブロードキャスト管理システムからのブロードキャスト信号又はブロードキャストに関する情報を受信することができる。１つの実施例において、前記通信アセンブリ６１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）（登録商標）技術及び他の技術により実現されてもよい。
【００７３】
実施例において、装置６００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【００７４】
実施例において、さらに、装置６００のプロセッサ６２０により実行されることにより上述の方法を実現可能なインストラクションが記憶され、且つコンピュータに読み取り可能な不揮発性の記録媒体、例えばインストラクションが記憶されているメモリ６０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【００７５】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【００７６】
なお、本発明は、上述の説明及び図面により示された特定の構成に限定されず、その範囲を逸脱しない範囲で、様々な補正及び変更を実施してもよい。本発明の範囲は、添付される特許請求の範囲のみにより限定される。
【００７７】
本願は、出願番号が２０１５１００２０８７４．８であって、出願日が２０１５年１月１５日であり、発明の名称が「端末機器の充電制御方法及び装置」である中国特許出願に基づき優先権を主張し、当該中国特許出願のすべての内容を本願に援用する。
【国際調査報告】
2017506874.tif 000009
2017506874.tif 000010
2017506874.tif 000011
2017506874.tif 000012